【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
患者の一部を覆うように構成された本体身頃部分と、ここで前記本体身頃部分は前記患者に面する内側表面と前記患者から離れる側の外側表面とを有する、
前記内側表面に隣接して位置決めされた少なくとも１つの吸気口を有する空気対流式装置と、
前記空気対流式装置の前記吸気口にアクセスするための、前記本体身頃部分の１つ以上のアクセス口とを具備する医療用衣服。
【請求項２】
前記本体身頃部分が継ぎ目のないように構成されていることを特徴とする請求項１に記載の衣服。
【請求項３】
前記アクセス口がスリットであることを特徴とする請求項１に記載の衣服。
【請求項４】
前記アクセス口が垂れ蓋であることを特徴とする請求項１に記載の衣服。
【請求項５】
空気対流式装置を受け入れるように構成可能な内側表面が、前記医療用衣服と前記空気対流式装置との間で作用する装着機構を含むことを特徴とする請求項１に記載の衣服。
【請求項６】
前記装着機構が、両面接着、フックアンドループ、縫い付け、留め金、熱、超音波、リベット、およびこれらに相当する任意のものから成るグループから選択されることを特徴とする請求項５に記載の衣服。
【請求項７】
前記本体身頃部分が、患者の腕を受け入れるようにサイズと位置が決められた袖をさらに含むことを特徴とする請求項１に記載の衣服。
【請求項８】
前記袖が、上端部分の全長にわたるスリットと、前記スリットの向かい合う側を分離可能なように結び付けるための前記スリット付近の繋ぎ合せ装置とを含むことを特徴とする請求項７に記載の衣服。
【請求項９】
前記繋ぎ合せ装置が、ベルクロボタン、紐、留め金、位置変更可能な接着、かぎホック要素、両面接着、フックアンドループ、リベット、およびこれらに相当する任意のものから成るグループから選択されることを特徴とする請求項８に記載の衣服。
【請求項１０】
前記本体身頃部分が、首開口部および下裾と、前記首開口部から前記裾まで達する後部スリットと、前記スリットの向かい合う側を分離可能なように結び付けるための前記スリット付近の繋ぎ合せ装置とをさらに含むことを特徴とする請求項１に記載の衣服。
【請求項１１】
前記繋ぎ合せ装置が、紐、かぎホック要素、両面接着、フックアンドループ、留め金、リベット、およびこれらの相当する任意のものから成るグループから選択されることを特徴とする請求項１０に記載の衣服。
【請求項１２】
前記空気対流式装置が、
膨張可能な部分と、
与圧された空気を前記膨張可能な部分から放出するための通気性領域とを含むことを特徴とする請求項１に記載の衣服。
【請求項１３】
前記通気性部材が前記医療用衣服から与圧された空気を放出することを特徴とする請求項１２に記載の衣服。
【請求項１４】
前記膨張可能な部分が、前記与圧された空気の流れを配分するための、前記少なくとも１つの吸気口と連絡する配分領域を含むことを特徴とする請求項１２に記載の衣服。
【請求項１５】
前記配分領域が、外周でともに連続的に密閉された第一シートと第二シートを含むことを特徴とする請求項１４に記載の衣服。
【請求項１６】
前記通気性部材が前記第一シートの一部分であることを特徴とする請求項１５に記載の衣服。
【請求項１７】
前記少なくとも１つの吸気口が前記第二シート内に位置決めされていることを特徴とする請求項１５に記載の衣服。
【請求項１８】
前記第二シートが前記医療用衣服の一部分であることを特徴とする請求項１５に記載の衣服。
【請求項１９】
前記配分領域が、前記外周内の複数の位置で前記第一シートと前記第二シートとの間の接着部をさらに含むことを特徴とする請求項１５に記載の衣服。
【請求項２０】
前記第一シートおよび第二シートが突出部を有することと、前記少なくとも１つの吸気口が前記突出部内に位置決めされていることとを特徴とする請求項１５に記載の衣服。
【請求項２１】
前記突出部が前記医療用衣服の開口部を通過するようなサイズであることを特徴とする請求項２０に記載の衣服。
【請求項２２】
前記少なくとも１つの吸気口が前記外周の上部分に沿った開口部であることを特徴とする請求項１５に記載の衣服。
【請求項２３】
患者を快適に保つシステムであって、
与圧された空気を受け入れるために配分領域と連絡する少なくとも１つの吸気口と与圧された空気を前記配分領域から放出するための通気性部材とを有する空気対流式装置と、
本体身頃部分を有する医療用衣服と、ここで前記医療用衣服には内側表面と外側表面とがあり、前記空気対流式装置は前記内側表面に隣接して位置決めされており、
前記与圧された空気の流れを前記空気対流式装置に供給するための加温ユニットと、
前記加温ユニットを前記少なくとも１つの吸気口に接続するための空気ホースとを具備するシステム。
【請求項２４】
前記加温システムが、前記空気ホースを前記少なくとも１つの吸気口に解除可能なように連結するための手段をさらに含むことを特徴とする請求項２３に記載のシステム。
【請求項２５】
前記医療用衣服が、前記空気対流式装置の前記吸気口にアクセスするための１つ以上のアクセス口を前記本体身頃部分においてさらに含むことを特徴とする請求項２３に記載のシステム。
【請求項２６】
前記空気対流式装置と前記医療用衣服との間で作用する装着機構をさらに具備する請求項２３に記載のシステム。
【請求項２７】
前記装着機構が、両面接着、フックアンドループ、裁縫、留め金、熱、超音波、リベット、およびこれらに相当する任意のものから成るグループから選択されることを特徴とする請求項２６に記載のシステム。
【請求項２８】
前記通気性部材が与圧された空気を前記人に向けて放出することを特徴とする請求項２３に記載のシステム。
【請求項２９】
前記配分領域が、外周でともに連続的に密閉された第一シートと第二シートを含むことを特徴とする請求項２３に記載のシステム。
【請求項３０】
前記通気性部材が前記第一シートの一部分であることを特徴とする請求項２９に記載のシステム。
【請求項３１】
前記少なくとも１つの吸気口が前記第二シート内に位置決めされていることを特徴とする請求項２９に記載のシステム。
【請求項３２】
前記配分領域が、前記外周内の複数の位置で前記第一シートと前記第二シートとの間の接着部をさらに含むことを特徴とする請求項２９に記載のシステム。
【請求項３３】
前記本体身頃部分が一体型に成されていることを特徴とする請求項２３に記載のシステム。
【請求項３４】
前記アクセス口がスリットであることを特徴とする請求項２３に記載のシステム。
【請求項３５】
前記アクセス口が垂れ蓋であることを特徴とする請求項２３に記載のシステム。
【請求項３６】
前記本体身頃部分が、患者の腕を受け入れるようにサイズと位置が決められた袖をさらに含むことを特徴とする請求項２３に記載のシステム。
【請求項３７】
前記袖が、上端部分の全長にわたるスリットと、前記スリットの向かい合う側を分離可能なように結び付けるための前記スリット付近の繋ぎ合せ装置とを含むことを特徴とする請求項３６に記載のシステム。
【請求項３８】
前記繋ぎ合せ装置が、ベルクロボタン、紐、留め金、位置変更可能な接着、かぎホック要素、両面接着、フックアンドループ、リベット、およびこれらに相当する任意のものから成るグループから選択されることを特徴とする請求項３７に記載のシステム。
【請求項３９】
前記本体身頃部分が、首開口部および下裾と、前記首開口部から前記裾まで達する後部スリットと、前記スリットの向かい合う側を分離可能なように結び付けるための前記スリット付近の繋ぎ合せ装置とをさらに含むことを特徴とする請求項２３に記載のシステム。
【請求項４０】
前記固定装置が、紐、かぎホック要素、両面接着、フックアンドループ、留め金、リベット、およびこれらに相当する任意のものから成るグループから選択されることを特徴とする請求項３９に記載のシステム。